(57)【要約】【課題】少なくとも２枚のシート状部材を組み合わせて構成される透過型スクリーンにおいて、温度や湿度の影響によるシート状部材の反りや変形に起因する視覚される表示映像の劣化を解消することを目的とし、スクリーンの保持構造の改良や、大幅な設備・コストの上昇を招くことなく、経時的にも密着状態の維持される透過型スクリーンを提供する。【解決手段】少なくとも２枚のシート状部材を重ねて構成され、背面投射型ディスプレイに用いられ、プロジェクタから入射する映像光を透過して、観察側へ表示光を出射する透過型スクリーンにおいて、重ね合わせたシート状部材のそれぞれの外周端部を、粘着，接着，溶着の何れかにより接合してなり、積層されたシート状部材の間が真空状態にあるようにする。【選択図】図２
2006113234.tif 000002
【特許請求の範囲】
【請求項１】
少なくとも２枚のシート状部材を重ねて構成され、背面投射型ディスプレイに用いられ、プロジェクタから入射する映像光を透過して、観察側へ表示光を出射する透過型スクリーンにおいて、
重ね合わせたシート状部材のそれぞれの外周端部を、粘着，接着，溶着の何れかにより接合してなり、積層されたシート状部材の間が真空状態にあることを特徴とする透過型スクリーン。
【請求項２】
大気中もしくは真空中において重ね合わせたシート状部材を真空装置に挿入し、装置内を真空にした状態で、シート状部材の外周端部に熱発生装置を押し当て、シート状部材同士を熱溶着してなる構成であることを特徴とする請求項１記載の透過型スクリーン。
【請求項３】
少なくとも１枚のシート状部材は、他のシート状部材と接触する少なくとも外周端部が粘着性を有しており、真空装置内での減圧状態に応じて向上した密着性により接合された構成であることを特徴とする請求項１記載の透過型スクリーン。
【請求項４】
積層されたシート状部材の間に、両者の接合面の何れとも屈折率が異なる透光性材料を介在してなる構成であることを特徴とする請求項１記載の透過型スクリーン。
【請求項５】
少なくとも一方のシート状部材の外周端部に、溶着性能に優れた熱可塑性樹脂層を形成してなる構成であることを特徴とする請求項１記載の透過型スクリーン。
【発明の詳細な説明】
【技術分野】
【０００１】
本発明は、背面投射型プロジェクションＴＶ向けの映像表示スクリーンに用いて有効な
スクリーンに関する。
上記ＴＶには、背面投影型，透過型，リアプロジェクションなど、各種の呼称があり、スクリーンも対応して各種に呼称される。また、モニターなど、ＴＶ以外の映像表示装置向けとしても同様な映像表示スクリーンが用いられているが、以後、本明細書では、ＴＶ，モニターなど全ての用途に対応する「透過型スクリーン」として称することとする。
本発明は、特に、表面にレンズアレイを有するシート，レンズ以外の光学シートなど、複数枚のシート状部材を組み合わせて構成される透過型スクリーンの改良に基づいた、耐環境性に優れた透過型スクリーンに関する。
【背景技術】
【０００２】
透過型スクリーンは、一般に、フレネルレンズシートとレンチキュラーシートとの組み合わせにより構成される。
【０００３】
フレネルレンズシートは、プロジェクタからの投影光（小口径レンズから発散する）を、凸レンズ特性により略並行光として、レンチキュラーシート側に出射する。
【０００４】
レンチキュラーシートは、フレネルレンズシートで略並行光とされて入射した投影光を、水平方向に並列されたシリンドリカル・レンズ群の特性により水平方向に広げて、観察者側に表示光として出射する。
【０００５】
また、透過型スクリーンには、表示光を垂直方向にも広げる、プロジェクタからの投影光を結像させる、プロジェクタのレンズが小口径であることに起因するシンチレーションと呼ばれる画像の不要なちらつきを低減する、などの目的で、光拡散層が形成されている。
光拡散層は、レンチキュラーシート，フレネルレンズシート，あるいは保護板として機能する最外面の前面板などの少なくとも何れかに形成され、形成にあたっては、塗布，積層，混入など適宜の手法が採用されており、シート状部材として透過型スクリーンの一部を構成する場合もある。
【０００６】
近年、３管式（Ｒ，Ｇ，Ｂ）のＣＲＴ方式のプロジェクタに代えて、液晶式プロジェクタや、ＴＩ（テキサス・インスツルメンツ）社の登録商標である「ＤＭＤ（デジタル・マイクロミラー・デバイス）あるいはＤＬＰ（デジタル・ライト・プロセッシング）」と称される反射型ライトバルブ方式に係る単管式のプロジェクタを用いた表示デバイスが普及しており、これら新規デバイス向けに好適な透過型スクリーンが要求されている。
【０００７】
本出願人は、上記要求に応える構成として、
透明支持体の片面に、凸シリンドリカルレンズが並設されてなるレンズ部が形成されており、前記支持体の他面には、各シリンドリカルレンズの境界部に相当する位置に、ストライプ状の遮光パターンが形成され、前記パターン上に拡散層が形成された構成であるレンチキュラーシートについて提案している。（例えば、特許文献１参照）
【０００８】
また、上記特許文献１を含め、これまでの透過型スクリーンに用いられるフレネルレンズシートやレンチキュラーシートでは、アクリルやポリカーボネートに代表される樹脂製の基板（透明支持体）が採用されてきた。
【０００９】
上記基板は、一般に熱成形プロセスを経て加工されており、レンズシートには成形時の歪みが残留しており、温度や湿度の影響を受けやすく、反りや変形が生じるため、それぞれのレンズシートの基板を構成する樹脂が伸縮した場合、フレネルレンズシートとレンチキュラーシートの間に隙間が生じてしまい、焦点ぼけ等に起因して、視覚される表示映像の解像度を落とす原因になっている。
また、上記隙間に介在する空気層は、温度膨張などを招き、上記弊害を一層助長することになる。
そのため、スクリーンの伸縮を吸収する機能を備える保持方法や、スクリーン間の密着性を向上させるスクリーンの保持方法が要求されている。
【００１０】
対策の一例として、レンチキュラーシートとフレネルレンズシートからなる透過型スクリーンにおいて、レンチキュラーシートを成形加工する際、加熱／冷却条件を制御して、レンチキュラーシートのシリンドリカルレンズが並設されている側に、強制的に凸状の湾曲に反らせて、スクリーンを構成するもう一つの光学部材であるフレネルレンズシートに、レンチキュラーシートのシリンドリカルレンズが並設されている側の凸状の湾曲面を重ね合わせて、スクリーン装着部の４周を接着剤，ネジ止め，テープ止め等により、装着部を密着固定する方法が提案されている。（例えば、特許文献２参照）
しかし、特許文献２に係る上記提案は、初期の段階では有効であるが、経時とともに熱や湿気が加えられた環境で、徐々に変形し、反り返って中心部が外側に膨れ上がってしまい映像画質の劣化が起こる問題が発生している。
【００１１】
対策の他例として、２枚の光学素子板の合わせ面の空隙から、流体吸引手段を用いることにより、両素子板の合わせ面を負圧に導き、２枚の光学素子板を密着させる方法が提案されている。（例えば、特許文献３，４参照）
しかし、特許文献３，４に係る上記提案は、減圧状態で密封し、気密が漏れないようにしなければならないため、製造工程の増加を招き、コストが大幅に上昇するという問題を有している。
【００１２】
【特許文献１】特開平９−１２０１０１号公報
【特許文献２】特開平９−１５７２７号公報
【特許文献３】特公平６−８９４３号公報
【特許文献４】特公平８−３１４０１５号公報
【発明の開示】
【発明が解決しようとする課題】
【００１３】
本発明は、以上のような技術的背景によりなされたものであり、少なくとも２枚のシート状部材を組み合わせて構成される透過型スクリーンにおいて、温度や湿度の影響によるシート状部材の反りや変形に起因する視覚される表示映像の劣化を解消することを目的とし、スクリーンの保持構造の改良や、大幅な設備・コストの上昇を招くことなく、経時的にも密着状態の維持される透過型スクリーンを提供せんとするものである。
【課題を解決するための手段】
【００１４】
本発明による透過型スクリーンは、
少なくとも２枚のシート状部材を重ねて構成され、背面投射型ディスプレイに用いられ、プロジェクタから入射する映像光を透過して、観察側へ表示光を出射する透過型スクリーンにおいて、
重ね合わせたシート状部材のそれぞれの外周端部を、粘着，接着，溶着の何れかにより接合してなり、積層されたシート状部材の間が真空状態にあることを特徴とする。
【発明の効果】
【００１５】
本発明によれば、重ね合わせられる少なくとも２枚のシート間に気泡が混入することを防ぐことが出来ると共に、シート全体を均一に密着することが出来、温湿度の変化による変形が防止される。
従って、シートに反りを形成させることなく、少なくとも２枚のシートを隙間が均一で小さく、かつ密着度が高く、焦点ぼけ，色むらを解消し、解像度が向上した映像光が視覚される透過型スクリーンが提供される。
【発明を実施するための最良の形態】
【００１６】
以下、図面を参照して本発明の実施形態について説明する。
図1は、本発明による透過型スクリーンの一例を示す説明図である。
透過型スクリーン10は、２枚のレンズシート（フレネルレンズシート1とレンチキュラーシート２）の組み合わせにより構成される。
【００１７】
レンチキュラーシート２は、フレネルレンズシート1側の片面（同図では上側）にシリンドリカルレンズ群５が並設され、他面（同図では下側）には、前記レンズ群による映像光の非透過部にあたる箇所に遮光ストライプ層が形成され、さらに前面板３が積層された多層構成である。
前面板３は、表面保護の役割を果たす機能や、着色透光剤の混入によるスモーク効果を奏する機能や、上述した光拡散機能など、用途に応じて各種の機能を持つものであり、同図では２層構成となっているが、基板（光拡散性シートである場合も含め）上に各種機能層を形成した構成に係る図示である。
【００１８】
また、前面板３は、レンチキュラーシート２を構成する部材としてではなく、別体のスクリーン構成部材であっても良いが、本実施形態においては、全面が粘着もしくは接着された、レンチキュラーシート２内で一体的な部材として取り扱う。
前面板３が別体のスクリーン構成部材である場合は、スクリーンの構成要素としては、２枚のレンズシートと１枚の光学シートの、３枚のシート状部材からなることになり、レンチキュラーシートと前面板３との間でも、本発明による手法が適用されることになる。
【００１９】
フレネルレンズシート1とレンチキュラーシート２とを組み合わせて透過型スクリーンを構成するにあたって、本実施形態では、図２に示すように、両者を重ね合わせた状態で真空装置30内に搬送する。
【００２０】
図３は、図２を上側から見た図であり、チャンバ33内を真空状態にして、重ね合わせた２枚のレンズシートの外周端部（４辺）を、電気抵抗を用いたアイロンのような熱発生装置32を用いて押圧密着する。
【００２１】
２枚のレンズシートの主材料が、アクリル等の樹脂製の場合、熱発生装置32が押圧密着された外周端部は高温により溶解し、その部分で２枚のレンズシートは溶着される。
この時、溶着部である外周端部の内側にあたる２枚のレンズシートの隙間は真空状態にあり、両者の密着は確実となり、経時的にも維持される。
【００２２】
本実施形態の変形例として、２枚のレンズシートの熱溶着を一層確実にするため、溶着部にあたるシート表面に、溶着性能に優れた熱可塑性樹脂層を形成することにより、低い
加熱温度での熱溶着を可能にすることで、レンズシートの熱変形を妨げたり、エネルギーの節約を実現することも可能である。
【００２３】
また、真空チャンバ内での熱溶着に換えて、積層されたシート状部材の間に、両者の接合面の何れとも屈折率が異なる透光性材料を介在させた状態で、外周端部を接合することも可能である。
接合にあたっては、熱溶着に限らず、粘着，接着など、適宜手法が採用される。
上記透光性材料は、液体でも良い。
【００２４】
また、シート状部材の接合部分は、積層体の端部に限らず、光学シートの有効領域外の表面で行なわれても良い。
【図面の簡単な説明】
【００２５】
【図１】本発明による透過型スクリーンの一例を示す説明図。
【図２】シート状部材を接合する実施形態を示す説明図。
【図３】シート状部材を接合する実施形態を示す説明図。
【符号の説明】
【００２６】
１・・・フレネルレンズシート
２・・・レンチキュラーシート
３・・・前面板
10・・・透過型スクリーン
【図１】
2006113234.tif 000003
【図２】
2006113234.tif 000004
【図３】
2006113234.tif 000005